(57)【要約】【課題】受容デバイスに結合された一端部を有するコードを回収するためのリカバリーデバイスを提供する。【解決手段】実施形態によれば、受容デバイスに結合された一端部を有するコードを回収するためのリカバリーデバイスが提供される。リカバリーデバイスは、コードに沿った結合構成要素の移動のために、コードの一部を収容するように構成された開口部を有する結合構成要素を含み、結合構成要素の少なくとも一部が、受容デバイスの少なくとも一部と磁気的に結合するように適合され、コードの反対側端部に向かう方向への結合構成要素の移動を容易にするように構成された回収構成部をさらに含む。さらなる実施形態によれば、リカバリーデバイスを受容するための受容デバイスも提供される。受容デバイスはリカバリーデバイスの一部に磁気的に結合するように適合された中央コアと、中央コアの少なくとも一部を収容するパディング構成部と、を含む。コードを回収するための方法も説明される。【選択図】図６Ａ
2018140159.tif 000002
【特許請求の範囲】
【請求項１】
受容デバイスに結合された一端部を有するコードを回収するためのリカバリーデバイスであって、前記リカバリーデバイスが、
前記コードに沿った結合構成要素の移動のために、前記コードの一部を収容するように構成された開口部を有する結合構成要素を含み、
前記結合構成要素の少なくとも一部が、前記受容デバイスの少なくとも一部と磁気的に結合するように適合され、
前記結合構成要素が、前記コードの反対側端部に向かう方向への前記結合構成要素の移動を容易にするように構成された回収構成部を含む、リカバリーデバイス。
【請求項２】
前記結合構成要素がさらに、
第１の部材と、
前記第１の部材と結合可能な第２の部材とを含み、
前記第１の部材及び前記第２の部材が、閉構成と開構成との間で互いに対して移動するように構成され、
前記閉構成において、前記第１の部材及び前記第２の部材が、前記コードの一部を収容するために前記開口部を形成するように互いに向かって移動するように構成され、
前記開構成において、前記第１の部材及び前記第２の部材が、前記コードの一部を受容し、または解放するために、互いから遠ざかるように移動するように構成された、
請求項１に記載のリカバリーデバイス。
【請求項３】
前記第１の部材が、前記第２の部材に対して回動するように構成された、請求項２に記載のリカバリーデバイス。
【請求項４】
前記第１の部材及び前記第２の部材が、互いに対して取り外し可能に固定するようにさらに構成された、請求項２または３に記載のリカバリーデバイス。
【請求項５】
前記結合構成要素がさらに、前記閉構成において前記第１の部材及び前記第２の部材を取り外し可能に固定するロッキング機構を含む、請求項２から４のいずれか一項に記載のリカバリーデバイス。
【請求項６】
前記第１の部材及び前記第２の部材がそれぞれ非金属体を含む、請求項２から５のいずれか一項に記載のリカバリーデバイス。
【請求項７】
前記第１の部材及び前記第２の部材がそれぞれ強磁性体要素を含み、前記強磁性体要素がそれぞれ、前記第１の部材の表面及び前記第２の部材の表面に配置され、前記表面がそれぞれ前記受容デバイスと接触するように構成された、請求項２から６のいずれか一項に記載のリカバリーデバイス。
【請求項８】
前記第１の部材及び前記第２の部材がそれぞれ永久磁石を含み、前記永久磁石がそれぞれ、前記第１の部材の表面及び前記第２の部材の表面に配置され、前記表面がそれぞれ受容デバイスと接触するように構成された、請求項２から６のいずれか一項に記載のリカバリーデバイス。
【請求項９】
前記結合構成要素の一部が永久磁石を含む、請求項１から６のいずれか一項に記載のリカバリーデバイス。
【請求項１０】
前記結合構成要素の一部がネオジム磁石を含む、請求項９に記載のリカバリーデバイス。
【請求項１１】
前記結合構成要素の一部が、前記受容デバイスの一部と磁気的に結合するように適合された強磁性体要素を含む、請求項１から６のいずれか一項に記載のリカバリーデバイス。
【請求項１２】
前記結合構成要素の一部が鋼鉄プレートを含む、請求項１１に記載のリカバリーデバイス。
【請求項１３】
前記結合構成要素に結合された案内構成部をさらに含み、前記案内構成部が、前記コードに沿った前記結合構成要素の移動を案内するように構成された、請求項１から１２のいずれか一項に記載のリカバリーデバイス。
【請求項１４】
前記案内構成部がローラーボールを含む、請求項１３に記載のリカバリーデバイス。
【請求項１５】
前記回収構成部が、回収ロープを受容するように構成されたリングを含む、請求項１から１４のいずれか一項に記載のリカバリーデバイス。
【請求項１６】
コードを回収するためのリカバリーデバイスを受容するための受容デバイスであって、
中央コアと、
前記中央コアの少なくとも一部を収容するパディング構成部と、を含み、
前記中央コアの少なくとも一部が、前記リカバリーデバイスの少なくとも一部に磁気的に結合するように適合され、
前記受容デバイスが、前記コードの一端部分に向けて結合可能である、受容デバイス。
【請求項１７】
前記中央コアが永久磁石を含む、請求項１６に記載の受容デバイス。
【請求項１８】
前記中央コアがさらに、前記リカバリーデバイスの移動を補償して、前記リカバリーデバイスと前記受容デバイスとの間に一定の磁気的引力を提供するように、前記永久磁石にわたって配置された少なくとも２つのスペーサーを含む、請求項１７に記載の受容デバイス。
【請求項１９】
前記中央コアが、前記リカバリーデバイスの一部への磁気的結合のために適合された強磁性体要素を含む、請求項１６に記載の受容デバイス。
【請求項２０】
前記中央コアがさらに、前記受容デバイスと前記リカバリーデバイスの間に一定の磁気的結合を提供するために、前記リカバリーデバイスの配向に対して前記受容デバイスの配向を容易に行うように構成された位置整合要素をさらに含む、請求項１６から１９のいずれか一項に記載の受容デバイス。
【請求項２１】
前記位置整合要素が前記受容デバイスの中心軸に沿って配置された、請求項２０に記載の受容デバイス。
【請求項２２】
前記パディング構成部が第１のパディング部及び第２のパディング部を含み、前記中央コアが、前記第１のパディング部と前記第２のパディング部との間に配置された、請求項１６から２１のいずれか一項に記載の受容デバイス。
【請求項２３】
請求項１から１５のいずれか一項に記載のリカバリーデバイス及び請求項１６から２２のいずれか一項に記載の受容デバイスを含む、コードを回収するための装置。
【請求項２４】
一端部および反対側端部を有するコードを回収するための方法であって、
リカバリーデバイスを前記コードの前記反対側端部に移動可能に結合する段階と、
前記リカバリーデバイスを、前記コードの前記一端部における受容デバイスへ向けて移動させ、前記リカバリーデバイスを前記受容デバイスと磁気的に結合させる段階と、
前記リカバリーデバイスに結合された回収ロープに牽引力を印加して、前記リカバリーデバイスを前記受容デバイスとともに前記コードの前記反対側端部へ向けて回収する段階と、
を含む、方法。
【請求項２５】
前記リカバリーデバイスを前記コードの前記反対側端部に移動可能に結合する前に、前記回収ロープを前記リカバリーデバイスの回収構成部に結合する段階をさらに含む、請求項２４に記載の方法。
【請求項２６】
前記リカバリーデバイスを前記コードの前記反対側端部に移動可能に結合する段階が、前記リカバリーデバイスの結合構成要素の開口部内に前記コードの一部を収容する段階を含む、請求項２４または２５に記載の方法。
【請求項２７】
前記結合構成要素が第１の部材と、前記第１の部材と結合可能な第２の部材と、を含み、前記第１の部材及び前記第２の部材が閉構成と開構成との間で互いに対して移動するように構成され、前記閉構成において、前記第１の部材及び前記第２の部材が互いに向かって移動して前記コードの一部を収容するための前記開口部を形成するように構成され、前記開構成において、前記第１の部材及び前記第２の部材が互いから離れるように移動して前記コードの一部を受容または開放するように構成され、
前記第１の部材及び前記第２の部材を取り外し可能に固定する段階をさらに含む、請求項２６に記載の方法。
【請求項２８】
前記コードに沿って前記結合構成要素の移動を案内する段階をさらに含む、請求項２６または２７に記載の方法。
【発明の詳細な説明】
【技術分野】
【０００１】
様々な実施形態が、受容デバイスに結合された一端部を有するコードを回収するためのリカバリーデバイス、コードを回収するためのリカバリーデバイスを受容するための受容デバイス、及びコードを回収する方法に関する。
【背景技術】
【０００２】
コードまたはロープは、多くのスポーツに関するアクティビティ、特にアドベンチャースポーツ産業に使用されうる。コードの回収は、安全かつ効率的に実行されなければならない重要な側面である。
【０００３】
関心のある１つの特定のアドベンチャースポーツは、バンジージャンピングである。
【０００４】
バンジージャンピングでは、人が、高い構造物（例えば橋、ビルなど）から飛び降り、その構造物には人（ジャンパー）が大きな弾性コードによって取り付けられる。コードはバンジーコードまたはバンジーロープとも呼ばれうる。人（ジャンパー）が飛び降りると、コードは地上に向けて下方に延びる。コードの弾性によって、コードは最大まで伸展し、その後、ジャンパーはコードの反動につれて上方へ飛びあがり、コード内の運動エネルギーが実質的に散逸するまで振動（上下に跳ねる）し続ける。バンジージャンピングのスポーツの商業的運用は、過去３０年の間存続している。
【０００５】
ジャンパー（まだバンジーコードに取り付けられている）が、数メートル以上の振動（上下に跳ねる）を終えると、バンジージャンプは完了したと考えられうる。
【０００６】
バンジージャンプが完了すると、バンジージャンプリカバリーシステムが作動して、コードを回収しうる。このプロセスは、「バンジージャンプリカバリー」と呼ばれうる。
【０００７】
バンジージャンプリカバリーはまた、バンジージャンプが完了した後、ジャンパーがそれによって回収されることも意味しうる。ジャンパーを回収することは、元のジャンプ位置まで吊り上げること、または元のジャンプ位置より下の領域まで降下させることのいずれかの、２つの手段が存在しうる。
【０００８】
吊上げ型バンジージャンプリカバリーシステムは、ジャンパーを元のジャンプ位置まで上昇させて戻すために、ウィンチに取り付けられたロープを使用することを伴いうる。もっとも単純な手段は、ジャンパーまでロープを降下させ、ジャンパーがロープを自分自身に取り付け、次いでロープがウィンチによって引き上げられ、それにより、ロープを元のジャンプ位置まで吊り上げて戻しうる。
【０００９】
典型的には、バンジージャンプリカバリーにおける指示が、バンジージャンプの開始前にジャンパーに伝えられうる。手信号及び言語伝達が、ジャンプ中及び／またはジャンプ後にも使用されうる。しかし、ストレスのかかった状態（例えばバンジージャンピング後）では、時折、ジャンパーは以前に受けた指示を忘れる場合がありうる。いくつかの極端な状況では、ジャンパーはジャンプ中に受ける恐怖によって、行動不能になりうる。ジャンパーが負傷し、または意識を失って指示を実行できなくなる例もありうる。
【００１０】
そのため、バンジージャンプの完了時に回収、リカバリーまたは回収用ロープをジャンパーに正確かつ安全に接続することについてジャンパーへの依存を排除し、または少なくとも最小化するように、コードを回収またはリカバーするための装置の必要性がある。さらに、コード及びジャンパーのリカバリーに必要な時間が低減され、それによって、特にジャンパーの数が多い繁忙日における収益性を向上させうる。
【発明の概要】
【課題を解決するための手段】
【００１１】
１つの実施形態によれば、受容デバイスに結合された一端部を有するコードを回収するためのリカバリーデバイスが提供される。リカバリーデバイスは、コードに沿った結合構成要素の移動のために、コードの一部を収容するように構成された開口部を有する結合構成要素を含んでもよく、結合構成要素の少なくとも一部が、受容デバイスの少なくとも一部と磁気的に結合するように適合され、結合構成要素が、コードの反対側端部に向かう方向への結合構成要素の移動を容易にするように構成された回収構成部を含む。
【００１２】
１つの実施形態によれば、コードを回収するためのリカバリーデバイスを受容するための受容デバイスが提供される。受容デバイスは、中央コアと、中央コアの少なくとも一部を収容するパディング構成部と、を含んでもよく、中央コアの少なくとも一部が、リカバリーデバイスの少なくとも一部に磁気的に結合するように適合され、受容デバイスが、コードの一端部分に向けて結合可能である。
【００１３】
１つの実施形態によれば、コードを回収するための装置が提供される。本装置はリカバリーデバイス及び受容デバイスを含みうる。
【００１４】
１つの実施形態によれば、一端部および反対側端部を有するコードを回収するための方法が提供される。本方法は、リカバリーデバイスをコードの反対側端部に移動可能に結合する段階と、リカバリーデバイスを、コードの一端部における受容デバイスへ向けて移動させ、リカバリーデバイスを受容デバイスと磁気的に結合させる段階と、リカバリーデバイスに結合された回収ロープに牽引力を印加して、リカバリーデバイスを受容デバイスとともにコードの反対側端部へ向けて回収する段階と、を含みうる。
【００１５】
図面において、類似の参照符号は、一般に、様々な図面を通して類似の部分を参照する。図面は必ずしもスケール通りではなく、その代わりに強調が一般に本発明の原理を説明するうえで使用される。以下の説明において、本発明の様々な実施形態が、以下の図面を参照して説明される。
【図面の簡単な説明】
【００１６】
【図１Ａ】様々な実施形態に従う、コードを回収するためのリカバリーデバイスの概略断面図を示す。
【図１Ｂ】様々な実施形態に従う、コードを回収するためのリカバリーデバイスを受容する受容デバイスの概略断面図を示す。
【図１Ｃ】様々な実施形態に従う、コードを回収するための装置の概略断面図を示す。
【図１Ｄ】様々な実施形態に従う、コードを回収する方法を示すフロー図を示す。
【図２Ａ】様々な実施形態に従う、バンジージャンピングのプロセスのスナップショットの瞬間を示す概略図を示す。
【図２Ｂ】１つの実施形態に従う、コード回収プロセスのスナップショットの瞬間を示す概略図を示す。
【図２Ｃ】１つの実施形態に従う、コード回収プロセスのスナップショットの瞬間を示す概略図を示す。
【図３Ａ】１つの実施形態に従う、例示的なリカバリーデバイスの上面斜視図を示す。
【図３Ｂ】図３Ａの例示的なリカバリーデバイスの底面斜視図を示す。
【図４Ａ】１つの実施形態に従う、例示的な受容デバイスの斜視図を示す。
【図４Ｂ】図４Ａの例示的な受容デバイスの分解図を示す。
【図５Ａ】図４Ｂの中央コアの拡大斜視図を示す。
【図５Ｂ】図５Ａの中央コアの上面概略図を示す。
【図５Ｃ】図５Ａの中央コアの側面概略図を示す。
【図５Ｄ】図５Ｃの直線Ｂから見た断面概略図を示す。
【図５Ｅ】図５Ｂの直線Ａから見た断面概略図を示す。
【図６Ａ】１つの実施形態に従う、コードに沿って図４Ａの受容デバイスに向かって移動する図３Ａのリカバリーデバイスを示す側面視概略図を示す。
【図６Ｂ】図６Ａの側面断面図を示す。
【図６Ｃ】１つの実施形態に従う、コードに沿って受容デバイスに向かって移動するリカバリーデバイスを示す側面視概略図であって、それらの間に位置ずれがある状態を示す。
【図６Ｄ】１つの実施形態に従う、コード回収プロセスに関して互いに磁気的に結合されたリカバリーデバイスおよび受容デバイスを示す側面視概略図を示す。
【発明を実施するための形態】
【００１７】
以下の詳細な説明は、例示として特定の詳細を示す添付図面及び本発明が実施されうる実施形態を参照する。これらの実施形態は、当業者が本実施形態を実施できるように、十分詳細に説明される。その他の実施形態が利用されてもよく、構造的、論理的及び電気的な変更が、本発明の範囲から逸脱することなくなされうる。様々な実施形態は、必ずしも互いに排他的ではなく、いくつかの実施形態は、１つまたは複数の他の実施形態と組み合わせて新しい実施形態を形成しうる。
【００１８】
本方法またはデバイスの１つについて説明される実施形態は、他の方法またはデバイスに対して類推的に有効である。同様に、方法について説明された実施形態は、デバイスに対して類推的に有効であり、その逆も成立する。
【００１９】
ある実施形態について説明された特徴は、他の実施形態の同じまたは類似の特徴にも対応して適用可能でありうる。ある実施形態について説明された特徴は、他の実施形態に対して、これらの他の実施形態において明示的に説明されていないとしても、対応して適用可能でありうる。さらに、ある実施形態についての特徴に関して説明されるような追加、組合せ及び／または代替は、他の実施形態における同じまたは類似の特徴にも対応して適用可能でありうる。
【００２０】
様々な実施形態について、ある特徴または要素に関して使用されるような「ある」、「１つの」、及び「その」との記載は、その特徴または要素の１つまたは複数への参照を含む。
【００２１】
様々な実施形態について、「実質的に」との用語は、「正確に」及び合理的な相違を含みうる。
【００２２】
様々な実施形態について、数値について適用されるような「約」または「およそ」との用語は、正確な値及び合理的な相違を包含する。
【００２３】
本明細書で使用されるように、「及び／または」との用語は、関連する列挙された項目の１つまたは複数のいずれか及びすべての組み合わせを含む。
【００２４】
本明細書で使用されるように、「ＡまたはＢの少なくとも１つ」との形態の語句は、ＡもしくはＢ、またはＡ及びＢの両方を含みうる。対応して、「Ａ、ＢまたはＣの少なくとも１つ」との形態、またはさらに列挙された項目を含む語句は、関連する列挙された項目の１つまたは複数のいずれか及びすべての組み合わせを含みうる。
【００２５】
様々な実施形態は、バンジージャンプリカバリーユニットまたはバンジージャンプリカバリーシステムを提供しうる。例えば、バンジージャンプリカバリーユニットまたはバンジージャンプリカバリーシステムは、元のジャンプ位置まで吊り上げることによってジャンパーをリカバーしうる。
【００２６】
様々な実施形態が、バンジージャンプが終了した後に高出力磁石の使用によってバンジージャンパーに素早く、確実かつ安全な接続をもたらしうるバンジージャンプリカバリーユニットを提供しうる。ユニットは、ジャンパーが元のジャンプ位置まで吊り上げられうるように、ウィンチロープをジャンパーに接続しうる。
【００２７】
様々な実施形態に従うバンジージャンプリカバリーユニットは、従来の機械的リカバリーシステムで用いられうる機械的接続の代わりに、取り付けの主要な手段として磁力を使用しうる。
【００２８】
様々な実施形態に従うバンジージャンプリカバリーユニットは、従来の機械的リカバリーシステムと比較して、より少ない可動部の使用を伴いうる。様々な実施形態に従うバンジージャンプリカバリーユニットは、悪天候条件（例えば、寒い天候）または機械的故障に対する脆弱性がより少なくなる利点がありうる。
【００２９】
様々な実施形態に従うバンジージャンプリカバリーユニットは、より素早く、または設定、中止及び分解がより便利でありうる。
【００３０】
様々な実施形態に従うバンジージャンプリカバリーユニットは、既知のリカバリーシステムと比較して故障率がより低くなりうる。
【００３１】
図１Ａは、様々な実施形態に従う、受容デバイス１２０に結合された一端部を有するコード１１０を回収するためのリカバリーデバイス１００の概略的な断面図を示している。例えば、リカバリーデバイスは、コード１１０の一端部に向かって結合された受容デバイス１２０とともに、コード１１０を回収するためのものでありうる。リカバリーデバイス１００は、点線１１２で示されるように、コード１１０に沿って、結合構成要素１０２（または実際にはリカバリーデバイス１００）の移動に対してコード１１０の一部を収容するように構成された開口部１０４を有する結合構成要素１０２を含む。結合構成要素１０２の少なくとも一部は、点線１１２によって点線１１４まで表されるように、受容デバイス１２０の少なくとも一部に磁気的に結合するように適合される。結合構成要素１０２は、コード１１０の反対側端部に向かう方向に、結合構成要素１０２を容易に移動させるように構成された回収構成部１０６を含む。開口部１０４は、直線１０８によって表された回収構成部に近接して配置されうる。
【００３２】
様々な実施形態について、「回収」との用語は、リカバーすること、引っ張ること、巻き上げること、引くこと、または吊り上げることも指しうる。
【００３３】
「結合された」との用語は、接続されること、接触させられること、取り付けられること、または固定されることを意味しうる。
【００３４】
「開口部」との用語は、「アパーチャ」、「オリフィス」、「穴」または「空隙」を指しうる。
【００３５】
様々な実施形態について、「磁気的に結合する」との語句は、磁気結合すること、磁気接続すること、磁気的に引き付けること、または磁気的に固定することを指しうる。例えば、「磁気的に結合する」との語句は、磁力が永久磁石と強磁性体要素との間、または永久磁石と別の永久磁石との間にありうることを意味しうる。
【００３６】
「コードの一部を収容する」との語句は、開口部１０４内でコード１１０の一部を取り巻くことまたは取り囲むことを指しうる。例えば、開口部１０４は結合構成要素１０２の軸中心に沿った貫通穴を含んでもよく、コード１１０の収容された部分は、貫通穴の壁の少なくとも一部と接触しない状態であってもよい。コード１１０は、結合構成要素１０２の軸中心に対して実質的に平行な方向に沿って延設されうる。この場合、結合構成要素１０２は、互いに対して抵抗がゼロまたは最小の状態でコード１１０に沿って移動し、それによって、コード１１０の品質を保ちうる。
【００３７】
例えば、コード１１０に沿った結合構成要素１０２の移動は、コード１１０に沿った結合構成要素１０２の滑動を指しうる。
【００３８】
様々な実施形態について、「コードの一端部」との語句は、コード１１０の遠位端部を指しうる。コード１１０の一端部は、コード１１０の１つの端部（もしくは先端）またはコード１１０の一端部に近接するいずれかの部分を指しうる。
【００３９】
「コードの反対側端部」との語句は、コード１１０の遠位端部から離れて延設されたコード１１０の端部、またはコード１１０の遠位端部に対して最も遠くなりうるコード１１０の端部を指しうる。コード１１０の反対側端部は、コード１１０の反対側の端部（もしくは先端部）またはコード１１０の反対側端部に近接するいずれかの位置を指しうる。例えば、コード１１０の反対側端部が地面から離れたある高さに保持され、コード１１０が地面に向かって下方または垂直方向に自由に延在可能にされている場合には、コード１１０の遠位端部は、コード１１０の下端部と称され、コード１１０の反対側端部はコード１１０の上端部と称されうる。
【００４０】
様々な実施形態について、「コードの一端部に向かって」との用語は、「実質的にコードの一端部の近くに」を意味しうる。
【００４１】
様々な実施形態について、「コードの反対側端部に向かって」との用語は、コード１１０の遠位端部から離れて延設されたコード１１０の実質的に近い一端部、またはコード１１０の遠位端に対して最も遠くなりうるコード１１０の実質的に近い一端部を意味しうる。
【００４２】
様々な実施形態について、「コードの反対側端部に向かう方向に、結合構成要素の移動を容易にする」との語句は、結合構成要素１０２が、コード１１０の反対側端部の実質的に同じ平面上にある位置に移動できることを指しうる。例えば、コード１１０の反対側端部が地面から離れたある高さに保持され、コード１１０が地面に向かって下方に、または垂直方向に自由に延在可能とされる場合に、コア１１０の反対側端部の平面が、地面に対して実質的に平行でありうる。この場合に、「コードの反対側端部に向かう方向に、結合構成要素の移動を容易にする」との語句は、実質的に元の（ジャンプ）位置または開始位置とも称されうるコード１１０の反対側端部の高さの位置または近い位置まで、地面から離れて上方に移動する結合構成要素１０２を指しうる。元の（ジャンプ）位置または開始位置はまた、リカバー位置とも呼ばれ、実質的にコード１１０の反対側端部の高さの、または近い元の（ジャンプ）位置または開始位置に近接しうる。
【００４３】
換言すれば、様々な実施形態は、コード１１０、例えばバンジーコードまたはバンジーロープを回収するためのリカバリーデバイス１００に関しうる。受容デバイス１２０は、コード１１０の一端部に取り付けられうる。例えば、コード１１０は、コード１１０の反対側端部から延在された後、リカバリーデバイス１００がコード１１０の反対側端部においてコード１１０の一部の周囲に配置されうる。リカバリーデバイス１００は、受容デバイス１２０まで移動または降下され、磁気的手段によって受容デバイス１２０に結合しうる。リカバリーデバイス１００及び受容デバイス１２０が互いに結合されると、回収構成部１０６が、リカバリーデバイス１００を受容デバイス１２０とともに、リカバー位置であるコード１１０の反対側端部の位置または実質的に近い位置まで移動させ、または吊り上げて戻すために使用されうる。そのようにすることにより、コード回収プロセスは、ジャンパーの介在なしに自動的に実行されうる。
【００４４】
様々な実施形態において、結合構成要素１０２はさらに、第１の部材と、第１の部材と結合可能な第２の部材とを含んでもよく、第１の部材及び第２の部材は、閉構成と開構成との間で互いに移動するように構成され、閉構成において、第１の部材及び第２の部材は、コード１１０の一部を収容するための開口部１０４を形成するために互いに向かって移動するように構成され、開構成において、第１の部材及び第２の部材は、コード１１０の一部を受容または開放するために互いから離れるように移動するように構成される。
【００４５】
換言すれば、閉構成において、開口部１０４は閉ループを形成し、その一方開構成において、開口部１０４は開ループを形成し、第１の部材及び第２の部材は、互いから離れるように移動してコード１１０の一部を受容または開放するための入口部／出口部を提供するように構成されうる。
【００４６】
１つの例において、第１の部材は静止しており、その一方第２の部材は第１の部材に対して移動しうる。
【００４７】
他の例において、第２の部材は静止しており、その一方第１の部材は第２の部材に対して移動しうる。
【００４８】
さらに他の例において、第１の部材及び第２の部材の両方が、互いに対して移動しうる。
【００４９】
様々な実施形態において、第１の部材は第２の部材に対して回動するように構成されうる。
【００５０】
換言すれば、第１の部材は回動点を介して第２の部材に対して移動しうる。例えば、回動点は蝶番でありうる。この例において、結合構成要素１０２は、クランプと同様の機能を果たし、第１の部材及び第２の部材はクランプの腕部と同様の機能を果たしうる。
【００５１】
異なる例において、結合構成要素１０２は、重畳フラップまたは反発フラップを有する、開口端のある収容部と同様の機能を果たし、第１の部材はフラップであり、第２の部材は開口端のある収容部でありうる。例えば、第１の部材及び第２の部材は、異なる寸法であり、結合構成要素１０２はカラビナと同様の機能を果たしうる。
【００５２】
さらに別の例において、結合構成要素１０２は、取り外し可能な蓋または扉を有する開口端のある収容部と同様の機能を果たし、第１の部材は取り外し可能な蓋または扉であり、第２の部材は開口端のある収容部でありうる。
【００５３】
互いに対して移動するように構成された第１の部材及び第２の部材を有することは、例えばバンジージャンピングプロセスにおいて有用でありうる。これは、バンジーコード（例えば１１０）が装着される方法が、バンジープラットフォームレイアウトが構成される方法と同様であるという事実に起因するものでありうる。これらの状況下では、バンジーコード１１０が（元のジャンプ位置にある）プラットフォームに、バンジージャンピングの前の取り付けを可能にするために取り付けられうる空間が単に十分でないことがありうる。換言すれば、ジャンパーがプラットフォームからジャンプした後、リカバリーデバイス１００の第１の部材及び第２の部材を開くことができるようにする以外に、バンジーコード１１０の周囲にリカバリーデバイス１００を得る手段がない場合がある。
【００５４】
他の例において、リカバリーデバイス１００は、閉構成において閉ループを形成するために、第３の部材またはそれ以上の部材を含みうる。円形を２つ以上の部品（第１の部材及び第２の部材）に分割することが可能でありうるが、そのような設計はより複雑な部品を必要としうる。
【００５５】
様々な実施形態において、第１の部材及び第２の部材はさらに、互いに対して取り外し可能に固定するように構成されうる。
【００５６】
様々な実施形態において、結合構成要素１０２はさらに、第１の部材及び第２の部材を近接した構成で取り外し可能に固定するためのロッキング機構を含みうる。
【００５７】
例えば、ロッキング機構は、ロッキングピンを含みうる。
【００５８】
様々な実施形態について、「ロック」との用語は、固定、ボルト、ラッチと区別せずに呼ばれうる。
【００５９】
様々な実施形態において、第１の部材及び第２の部材はそれぞれ、非金属体を含みうる。
【００６０】
例えば、第１の部材はプラスチック体を含み、同様に第２の部材もプラスチック体を含みうる。第１の部材の本体は第２の部材の本体と同じ材料からなりうる。いくつかの実施形態において、第１の部材の本体は、第２の部材の本体とは異なる材料からなりうる。材料が、強磁性体要素（例えば鋼鉄プレート）もしくは永久磁石（例えばネオジム磁石）及び／またはコード１１０（例えばバンジーコードのゴム）に損傷を与えうる結合構成要素１０２のいずれかの部分に対する摩擦からコード１１０の品質を保護し、品質を保つことができるという主目的を有する他の適切な材料も使用されうる。
【００６１】
近接構成における第１の部材及び第２の部材は、円形形状を形成しうる。有利には円形形状は大きさ及び重量の点で最も有効でありうるが、その他の形状も、様々な実施形態で形成されうることは了解され、理解されうる。
【００６２】
様々な実施形態において、第１の部材及び第２の部材はそれぞれ、強磁性体要素を含んでもよく、強磁性体要素はそれぞれ第１の部材の表面及び第２の部材の表面に配置され、各表面は受容デバイス１２０に接触するように構成される。強磁性体要素は、受容端部１２０の重量が最小化されうるように、軽量で構造的に強い材料でありうる。これは、受容端部１２０においてジャンパーへの衝撃という悪影響を最小化しうる。
【００６３】
他の実施形態において、第１の部材及び第２の部材はそれぞれ永久磁石を含み、永久磁石はそれぞれ第１の部材の表面及び第２の部材の表面に配置され、表面はそれぞれ受容デバイス１２０と接触するように構成される。
【００６４】
様々な実施形態において、強磁性体要素または永久磁石は、第１の部材及び／または第２の部材のその他の（追加的な）表面に配置されうる。しかし、強磁性体要素または永久磁石は、コード１１０に損傷を与える可能性がある第１の部材及び／または第２の部材の１つまたは複数の表面上に配置されない場合があることは理解され、了解されるべきである。
【００６５】
いくつかの実施形態において、強磁性体要素または永久磁石は、第１の部材及び／または第２の部材内に埋め込まれうる。そのような場合には、実施形態は、結合構成要素１０２と受容デバイス１２０との間の磁気的結合力が、コード回収を実施するのに十分強くなりうるような大きさとされうる。
【００６６】
様々な実施形態において、結合構成要素１０２の一部は永久磁石を含みうる。いくつかの例において、結合構成要素１０２の永久磁石は、受容デバイス１２０の別の永久磁石に磁気的に結合するためのものでありうる。１つの例において、結合構成要素１０２の永久磁石は、受容デバイス１２０の別の永久磁石と同じ材料からなりうる。異なる例において、結合構成要素１０２の永久磁石は、受容デバイス１２０のその他の永久磁石とは異なる材料からなりうる。別の例において、結合構成要素１０２の永久磁石は、受容デバイス１２０の強磁性体要素に磁気的に結合するためのものでありうる。
【００６７】
例えば、結合構成要素１０２の一部は、ネオジム磁石を含みうる。
【００６８】
様々な実施形態において、結合構成要素１０２の一部は、受容デバイス１２０の一部に磁気的に結合するように適合された強磁性体要素を含みうる。換言すれば、強磁性体要素は、受容デバイス１２０の一部と磁気的に結合するように適合されうる。例えば、結合構成要素１２０の強磁性体要素は、受容デバイス１２０の永久磁石と磁気的に結合するためのものでありうる。
【００６９】
例えば、結合構成要素１０２の一部は、鋼鉄プレートを含みうる。
【００７０】
様々な実施形態に従うリカバリーデバイス１００はさらに、結合構成要素１０２に結合される案内構成部を含んでもよく、案内構成部はコード１１０に沿った結合構成要素１０２の移動を案内するように構成される。
【００７１】
様々な実施形態において、案内構成部は、例えばローラーボールなどの案内部材を含みうる。
【００７２】
例えば、ローラーボールは、約２ｃｍ、約３ｃｍ、約４ｃｍ、または約５ｃｍの直径を有しうる。例えば、ローラーボールは、約２．５ｃｍから約５ｃｍの範囲の直径を有しうる。ローラーボールは、標準の大きさのローラーボールまたはカスタムサイズのローラーボールでありうる。ローラーボールは、コード１１０に沿って結合構成要素１０２の案内を行うのに十分な大きさとされうる。ローラーボールは、球形、円筒形、またはコード１１０に沿って結合構成要素１０２の案内を行うのに適したその他任意の形状でありうる。ローラーボールは、プラスチック、ゴムまたはコード１１０に沿って結合構成要素１０２の案内を行うのに適したその他任意の材料からなりうる。
【００７３】
案内部材は、コード１１０の収容部と接触した状態でありうる。
【００７４】
様々な実施形態に従うリカバリーデバイス１００は、少なくとも２つの案内部材、少なくとも３つの案内部材、少なくとも４つの案内部材、少なくとも５つの案内部材、少なくとも６つの案内部材、少なくとも７つの案内部材、または少なくとも８つの案内部材を含みうる。各ガイド部材は、隣のまたは隣接する案内部材から実質的に等距離に配置されうる。
【００７５】
案内部材は、少なくとも第１の部材の表面及び／または少なくとも第２の部材の表面に配置されてもよく、表面はそれぞれ受容デバイス１２０と接触しないように構成される。
【００７６】
案内部材は、第１の部材の表面及び／または第２の部材の表面に配置されてもよく、表面はそれぞれ強磁性体要素または永久磁石が配置されうる表面とは反対側である。
【００７７】
様々な実施形態において、回収構成要素１０６は、回収ロープを受容するように構成されたリングを含みうる。
【００７８】
例えば、回収ロープは、リングに取り付けられ、接続され、または結び付けられうる。回収ロープは、回収ロープ、リカバリーロープまたはウィンチロープと称されうる。
【００７９】
様々な実施形態について、「リング」との用語は、アイボルトまたはアイレットと区別せずに呼ばれうる。
【００８０】
様々な実施形態において、リングは結合構成要素１０２に結合されうる。例えば、リングは結合構成要素１０２に溶接されうる。
【００８１】
他の実施形態において、リングは強磁性体要素の一体部でありうる。例えば、リングは強磁性体要素（例えば、鋼鉄プレート）から形成されうる。
【００８２】
リングは任意の形状でありうる。例えば、リングは、円形、楕円形、三角形、正方形、または長方形など、規則的な多角形からなりうる。リングはまた不規則な形状であってもよい。
【００８３】
様々な実施形態において、結合構成要素１０２は、少なくとも２つのリング、少なくとも３つのリングまたは少なくとも４つのリングを含みうる。リングはそれぞれ隣のまたは隣接するリングから実質的に等距離に配置されうる。
【００８４】
リングは、少なくとも第１の部材の表面及び／または少なくとも第２の部材の表面に配置されてもよく、表面はそれぞれ受容デバイス１２０と接触しないように構成される。
【００８５】
図１Ｂは、様々な実施形態に従うコード１１０を回収するためのリカバリーデバイス１００を受容するための受容デバイス１２０の概略断面図を示している。受容デバイス１２０は、中央コア１２２と、直線１２６で表されるように、中央コア１２２の少なくとも一部を収容するパディング構成部１２４と、を含む。中央コア１２２の少なくとも一部は、点線１１４から点線１１２で示されるように、リカバリーデバイス１００の少なくとも一部に磁気的に結合するために適合される。受容デバイス１２０は、点線１１４で示されるようにコード１１０の一端部に向けて結合可能である。
【００８６】
様々な実施形態について、「収容する」との用語は、「覆う」、「閉じ込める」、「カプセル化する」または「取り囲む」ことを指しうる。
【００８７】
「回収する」との用語並びに、「磁気的に結合する」、「コードの一端部」及び「コードの一端部に向かって」との語句は、前述したものと同様に記述されうる。
【００８８】
様々な実施形態において、中央コア１２２はアルミニウムプレートを含みうる。例えば、アルミニウムプレートはマグネシウム導入アルミニウムプレートでありうる。
【００８９】
別の実施形態において、中央コア１２２は、高い強度重量比を提供する合金からなるプレートを含みうる。
【００９０】
受容デバイス１２０は、コード１１０の反対端部から、コード１１０の一端部における受容デバイス１２０に向けて移動するリカバリーデバイス１００を受容するためのものでありうる。
【００９１】
「コードの反対端部」との語句は、前述したのと同様に記述されうる。
【００９２】
様々な実施形態において、中央コア１２２は永久磁石を含みうる。いくつかの例において、中央コア１２２の永久磁石は、リカバリーデバイス１００の別の永久磁石に磁気的に結合するためのものでありうる。１つの例において、中央コア１２２の永久磁石はリカバリーデバイス１００の別の永久磁石と同じ材料からなりうる。異なる例において、中央コア１２２の永久磁石は、リカバリーデバイス１００の別の永久磁石とは異なる材料からなりうる。他の例において、中央コア１２２の永久磁石は、リカバリーデバイス１００の強磁性体要素に磁気的に結合するためのものでありうる。
【００９３】
例えば、永久磁石はネオジム磁石を含みうる。
【００９４】
様々な実施形態において、中央コア１２２は、少なくとも２つの永久磁石、少なくとも３つの永久磁石、または少なくとも４つの永久磁石を含みうる。永久磁石はそれぞれ隣のまたは隣接する永久磁石から実質的に等距離に配置されうる。
【００９５】
様々な実施形態において、中央コア１２２はさらに、リカバリーデバイス１００の移動を補償して、リカバリーデバイス１００と受容デバイス１２０との間に一定の磁気的引力をもたらすために、永久磁石にわたって配置された少なくとも２つのスペーサーを含みうる。「一定」との用語は、一致していること、または連続していることを意味しうる。「磁気的引力」との語句は、磁気的に引き付ける力とも称されうる。
【００９６】
別の実施形態において、中央コア１２２は、リカバリーデバイス１００の一部に磁気的に結合するために適合された強磁性体要素を含みうる。例えば、中央コア１２２の強磁性体要素は、リカバリーデバイス１００の永久磁石に磁気的に結合するためのものでありうる。
【００９７】
例えば、強磁性体要素は鋼鉄プレートを含みうる。
【００９８】
様々な実施形態において、中央コア１２２は、少なくとも２つの強磁性体要素、少なくとも３つの強磁性体要素、または少なくとも４つの強磁性体要素を含みうる。強磁性体要素はそれぞれ、隣り合うまたは隣接する強磁性体要素から実質的に等距離に配置されうる。
【００９９】
様々な実施形態において、中央コア１２２はさらに、リカバリーデバイス１００の移動を補償して、リカバリーデバイス１００と受容デバイス１２０との間に一定の磁気的引力をもたらすように、強磁性体要素にわたって配置された少なくとも２つのスペーサーを含みうる。
【０１００】
１つもしくは複数の永久磁石または１つもしくは複数の強磁性体要素は、アルミニウムプレート（例えば中央コア１２２）に結合されうる。
【０１０１】
前述のように、２つのスペーサーは、永久磁石または強磁性体要素にわたって配置されうる。例えば、中央コア１２２は最大で４つのスペーサーからなる複数のスペーサーを含みうる。複数のスペーサーの場合、スペーサーはそれぞれ複数の永久磁石の間または複数の強磁性体要素の間に配置されうる。
【０１０２】
様々な実施形態において、永久磁石または強磁性体要素にわたって配置されたスペーサーは、一定の磁気的引力がリカバリーデバイス１００と受容デバイス１２０との間にもたらされうるように、リカバリーデバイス１００の移動および変形を補償するためのものでありうる。
【０１０３】
スペーサーは弾性材料、例えばゴムからなりうる。
【０１０４】
１つもしくは複数の永久磁石または１つもしくは複数の強磁性体要素の少なくとも１つを有する中央コア１２２は、平面構造を形成しうる。
【０１０５】
様々な実施形態において、中央コア１２２はさらに、受容デバイス１２０とリカバリーデバイス１００との間に一定の磁気的結合をもたらすために、リカバリーデバイス１００の配向に対して受容デバイス１２０の配向を容易にするように構成された位置整合要素を含みうる。
【０１０６】
様々な実施形態について、「一定」との用語は、一致すること、または実質的に均等に分布されることを意味しうる。
【０１０７】
様々な実施形態において、位置整合要素は受容デバイス１２０の中心軸にそって配置されうる。例えば、位置整合要素は円錐構造でありうる。
【０１０８】
断面において、円錐構造は円錐底面における最大外径を円錐の「頂点」または先端における最大外径と接続する放物線を有しうる。円錐底面の外径は、リカバリーデバイス１００（または開口部１０４）の内径よりも数ミリメートル小さくなりうる。これは、リカバリーデバイス１００と受容デバイス１２０との間の磁気的結合の適切な位置整合を可能にしうる。「頂点」の外径は、最も太くなりうるバンジーコード（約５０ｍｍ）よりもやや大きい（例えば、約５ｍｍ）必要がありうる。放物線は、受容デバイス１２０のリカバリーデバイス１００への滑らかな接続を提供しうる。
【０１０９】
様々な実施形態において、パディング構成部１２４は、第１のパディング部及び第２のパディング部を含んでもよく、中央コア１２２は、第１のパディング部と第２のパディング部との間に配置される。
【０１１０】
第１のパディング部は、コード１１０を収容するための第１のパディング開口部を有する枠部と、コード１１０を収容するための第１のパディングスペーサー開口部を有する第１のパディングスペーサーと、永久磁石または強磁性体要素の上方に位置するための複数の露出開口部と、コード１１０を収容するための第１のパディングスリーブ開口部を有する第１のパディングスリーブと、永久磁石または強磁性体要素の上方に位置するための複数のスリーブ露出開口部と、を含みうる。枠部は、第１のパディングスペーサーと、第１のパディングスリーブとの間に配置されうる。
【０１１１】
枠部は、例えば標準のポリエチレン発泡体などの発泡体材料からなりうる。第１のパディングスペーサーは、例えば高密度ポリエチレン発泡体などの弾性材料からなりうる。第１のパディングスリーブは、例えばビニルコートされたポリエステル製の布などのプラスチックからなりうる。
【０１１２】
第２のパディング部は、コード１１０を収容するための第２のパディングスペーサー開口部を有する第２のパディングスペーサーと、永久磁石または強磁性体要素を受容するための複数の凹部と、コード１１０を収容するための第２のパディングスリーブ開口部を有する第２のパディングスリーブと、を含みうる。第２のパディングスリーブは、第２のパディングスペーサーの上方に配置されうる。
【０１１３】
第２のパディングスペーサーは、例えば高密度ポリエチレン発泡体などの弾性材料からなりうる。第２のパディングスリーブは、例えばビニルコートされたポリエステル製の布などのプラスチックからなりうる。
【０１１４】
様々な実施形態について、「収容する」との用語は取り巻くことまたは取り囲むことを意味しうる。
【０１１５】
図１Ｃは、様々な実施形態に従う、コード（例えば１１０）を回収するための装置１４０の概略断面図を示している。装置１４０は、様々な実施形態に従うリカバリーデバイス１００及び様々な実施形態に従う受容デバイス１２０を含みうる。リカバリーデバイス１００及び受容デバイス１２０は、直線１４２で示されるように互いと協働するように、互いと磁気的に結合可能でありうる。
【０１１６】
図１Ｄは様々な実施形態に従う、一端部および反対側端部を有するコード（例えば１１０）を回収する方法を示すフロー図１６０を示している。換言すれば、一端部および反対側端部を有するコードを回収するための方法が提供されうる。図１Ｄにおいて、１６２で、リカバリーデバイス（例えば１００）がコード１１０の反対側端部に移動可能に結合される。１６４で、リカバリーデバイス１００はコード１１０の一端部における受容デバイス（例えば１２０）の方へ移動し、リカバリーデバイス１００は受容デバイス１２０と磁気的に結合されることとなる。１６６で、牽引力がリカバリーデバイス１００に結合された回収ロープに加えられ、受容デバイス１２０に沿ってコード１１０の反対側端部の方へリカバリーデバイス１００を回収する。
【０１１７】
リカバリーデバイスおよび受容デバイスは、それぞれ図１Ａ及び１Ｂのリカバリーデバイス１００及び受容デバイス１２０のそれと同じまたは類似の要素または構成要素を含み、または伴ってもよく、そのため、同じ参照符号が割り当てられ、同様の要素はそれぞれ図１Ａ及び１Ｂのリカバリーデバイス１００及び受容デバイス１２０について説明されたようなものであってもよく、そのため、対応する説明は本明細書では省略されうる。
【０１１８】
様々な実施形態において、「回収する」との用語並びに、「磁気的に結合する」、「コードの一端部」、「コードの反対側端部」、「コードの反対側端部の方へ」との語句は、前述のものと同様に記述されうる。
【０１１９】
「移動可能に結合された」との用語は、取り付けられ（または取り付け可能であり）、それに沿って移動可能であることを意味しうる。換言すれば、例えば回収ロープを有するリカバリーデバイス１００は、コード１１０の反対側端部の上方に位置し、コード１１０に沿って移動可能でありうる。
【０１２０】
リカバリーデバイス１００に対して「移動する」との用語は、「降下する」ということも意味しうる。
【０１２１】
「リカバリーデバイスが受容デバイスと磁気的に結合されることとなる」との語句は、リカバリーデバイス１００及び受容デバイス１２０が互いに磁気的に結合され、または固定されうることも意味しうる。
【０１２２】
「牽引力が回収ロープに加えられる」または「牽引力を回収ロープに加える」との語句は、回収ロープへのけん引力の印加または回収ロープの吊り上げも意味しうる。
【０１２３】
様々な実施形態において、リカバリーデバイス１００をコード１１０の反対側端部へ移動可能に結合する前に、回収ロープがリカバリーデバイス１００の回収構成部１０６に結合されうる。
【０１２４】
様々な実施形態において、リカバリーデバイス１００をコード１１０の反対側端部へ移動可能に結合することは、コード１１０の一部をリカバリーデバイス１００の結合構成要素１０２の開口部１０４内へ収容することを含みうる。
【０１２５】
様々な実施形態において、結合構成要素１０２はさらに、第１の部材と、第１の部材と結合可能な第２の部材と、を含んでもよく、第１の部材及び第２の部材は閉構成と開構成との間で互いに対して移動するように構成され、閉構成において、第１の部材及び第２の部材は互いに対して移動して、コード１１０の一部を収容するための開口部１０４を形成するように構成され、開構成において、第１の部材及び第２の部材は互いから離れるように移動し、コード１１０の一部を受容または解放するように構成される。本方法１６０はさらに、第１の部材及び第２の部材を解放可能に固定することを含みうる。
【０１２６】
様々な実施形態において、本方法１６０はさらに、コード１１０に沿って結合構成要素１０２の移動を案内することを含みうる。
【０１２７】
前述の方法は一連の段階またはイベントとして例示され、説明されたが、そのような段階またはイベントのいずれかの順序が限定的な意味で解釈されるべきではないことは了承されるであろう。例えば、いくつかの段階は、異なる順序で、並びに／または本明細書で例示され及び／もしくは説明されたものとは離れた別の段階またはイベントと同時に発生しうる。さらに、すべての図示された段階が、本明細書で説明された１つまたは複数の態様または実施形態を実施するのに必要とされない場合がある。また、本明細書で示された１つまたは複数の段階が、１つまたは複数の別個の動作及び／またはフェーズにおいて実行されうる。
【０１２８】
様々な実施形態に従う、コード（例えば１１０）、例えばバンジーコードを回収する方法の例は、以下に説明される。
【０１２９】
図２Ａは、バンジージャンピングのプロセスのスナップショットの各瞬間を示す概略図２００を示しており、図２Ｂ及び２Ｃは様々な実施形態に従う、終了後のコード回収プロセスのスナップショットの各瞬間を示す概略図２２０、２４０を示している。
【０１３０】
リカバリーデバイスおよび受容デバイスは、それぞれ図１Ａ及び１Ｂのリカバリーデバイス１００及び受容デバイス１２０のそれと同じまたは同様の要素を含んでもよく、または伴ってもよく、このように、同じ符号が割り当てられ、同様の要素はそれぞれ図１Ａ及び１Ｂのリカバリーデバイス１００及び受容デバイス１２０について説明されたのと同様でありえ、そのため対応する説明は本明細書では省略される。
【０１３１】
バンジージャンピングのプロセスにおいて、受容デバイス１２０は、まずコード１１０の一端部２０４（または一端部分）においてジャンパー２０２に結合され、または取り付けられうる。受容デバイス１２０は、ジャンパー２０２の足に配置されうる。ジャンパー２０２は、開始位置におけるプラットフォーム２０６（または元の（ジャンプ）位置とも称されうる）に配置されうる。コード１１０の反対側端部２０８（または反対側端部分）は、ジャンパー２０２が開始位置において配置されうるプラットフォーム２０６の上面に対してプラットフォーム２０６の下面に固定され、またはプラットフォーム２０６のその他の適切な部分に固定されうる。
【０１３２】
図２Ａの概略図２００に示されるように、受容デバイス１２０は「ジャンパー側端部」とも称されうる。「ジャンパー側端部」は、バンジーコード１００の端部（例えば２０４）に固定されうる。
【０１３３】
瞬間（ｉ）において、ジャンパー２０２はプラットフォーム２０６から跳躍し、または離れて、バンジージャンプを実行しうる。瞬間（ｉｉ）において、コード１１０はプラットフォーム２０６から離れ地面へ向かって延在しうる。地面は、地表または水面でありうる。瞬間（ｉｉｉ）において、コード１１０が完全に延び、実質的に平衡になる（このときジャンパー２０２は跳ね返りを停止させており、リカバーされる準備ができているか、またはコード１１０が数メートル、例えば約１ｍ以下で上下に振動しているのみである）場合、バンジージャンプは完了したと考えられうる。
【０１３４】
回収ロープ２１２（例えばウィンチロープ）の一端部２１０は、リカバリーデバイス１００の回収構成部１０６に結合されうる。回収ロープ２１２の他方（反対側）端部２１４は、コード回収を容易にするためにウィンチ２１６またはけん引システムに取り付けられうる。
【０１３５】
図２Ｂは、回収ロープ２１２をジャンパー２０２へ供給または降下させるスナップショットの各瞬間を示す概略図２２０を示している。バンジージャンプが完了すると、瞬間（ｉｖ）に示されるように、コード１１０の一部がリカバリーデバイス１００の結合構成要素１０２の開口部１０４内に、例えばバンジーオペレーター２２２によって収容されるように、リカバリーデバイス１００はコード１１０の反対側端部２０８（または反対側端部部分）の上方に配置されうる。リカバリーデバイス１００は、「リカバリー端部」とも称されうる。瞬間（ｉｖ）において、「リカバリー端部」は、バンジーコード１１０の周囲に開口され、次いでクランプされうる。
【０１３６】
リカバリーデバイス１００は、ジャンパー２０２の足の部分においてコード１１０の一端部２０４（または一端部分）に結合された受容デバイス１２０の方へ降下されうる。換言すれば、瞬間（ｖ）において、「リカバリー端部」はウィンチロープ２１２によってバンジーコード１１０の長さ全体を降下されうる。
【０１３７】
コード１１０の一端部２０４（または一端部分）に到達すると、リカバリーデバイス１００及び受容デバイス１２０は磁気的結合によって互いに固定しうる。つまり、「リカバリー端部」が瞬間（ｖｉ）のように「ジャンパー端部」と接続しうる。
【０１３８】
図２Ｃは、ジャンパー２０２とともに回収ロープ２１２を回収するスナップショットの瞬間を示す概略図２４０を示している。回収ロープ２１２は、プラットフォーム２０６の開始位置の近くまたは開始位置でありうるリカバー位置まで上方にけん引され、または吊り上げられうる。ウィンチ２１６はウィンチロープ２１２を介して、瞬間（ｖｉｉ）及び（ｖｉｉｉ）において、ジャンパー２０２を元の（ジャンプ）場所／位置まで引っ張り上げて戻しうる。リカバー位置において（瞬間（ｉｘ））、リカバリーデバイス１００はコード１１０から取り外され、ジャンパー２０２は受容デバイス１２０及びコード１１０から、例えばバンジーオペレーター２２２の補助で解放されうる。それによって、コード１１０を回収し、開始位置において次のジャンパーに取り付けうる。
【０１３９】
リカバリーデバイス１００は、地面に向かって延在されたコード１１０を有する受容デバイス１２０に磁気的に取り付けられると、リカバリーデバイス１００と受容デバイス１２０との間の磁気的引力が、コード１１０が延在する引っ張り方向に沿った方向に有効になりうる。この磁気的引力は、リカバリーデバイス１００と受容デバイス１２０との間の磁気的結合を、コード回収プロセスを通して維持することができる程度に十分強いものでありうる。
【０１４０】
リカバー位置において（例えば瞬間（ｉｘ））、リカバリーデバイス１００は、リカバリーデバイス１００を受容デバイス１２０に対して水平方向に滑らせることによって、受容デバイス１２０から取り外されうる。換言すれば、滑らせる動きは、前述の引っ張り方向に対して直交する方向でありうる。この磁気的引力は、リカバリーデバイス１００を受容デバイス１２０から取り外す（水平に滑らせる動き）間、リカバリーデバイス１００と受容デバイス１２０との間の磁気的結合を維持するには不十分な強さでありうる。これによって、リカバリーデバイス１００を受容デバイス１２０から容易に取り外すことが可能になりうる。
【０１４１】
まとめると、バンジージャンプを開始する前に、「ジャンパー端部」または受容デバイス１２０がバンジーコード１１０の、バンジージャンパー２０２と同じ端部２０４（または同じ端部部分）に取り付けられうる。バンジージャンプが終了すると、「リカバリー端部」がバンジーコード１１０に取り付けられうる。ウィンチ２１６を使用して、「リカバリー端部」はコード１１０の長さ全体を降下し、「ジャンパー端部」に固定されうる。一度固定され、または接続されると、バンジージャンパー２０２は、元のジャンプ位置まで、または元のジャンプ位置と近接する別のポストリカバリー位置までウィンチ２１６によって吊り上げられて戻されうる。
【０１４２】
様々な実施形態に従う、「リカバリー端部」でコード（例えば１１０）、例えばバンジーコードを回収するためのリカバリーデバイス（例えば１００）の例を、以下に説明する。
【０１４３】
図３Ａは、１つの実施形態に従う、例示的なリカバリーデバイス（例えば１００）の上面斜視図３００を示しており、図３Ｂは、例示的なリカバリーデバイスの底面斜視図３２０を示している。
【０１４４】
リカバリーデバイス３０２は、図１Ａのリカバリーデバイス１００のそれと同じまたは類似の要素または構成要素を含んでもよく、または伴ってもよく、そのため、同様の要素は図１Ａのリカバリーデバイス１００について説明したものと同様でありえ、従って対応する説明は本明細書では省略される。
【０１４５】
図３Ａ及び３Ｂに示されるように、リカバリーデバイス（または「リカバリー端部」）３０２は、プラスチック本体部３０４、鋼鉄プレート３０６、ローラーボール３２２及びアイボルト３２４から組み立てられうる。
【０１４６】
プラスチック本体部３０４は、重なり合い、一体として合致して完全な円形を形成する２つの半円を含み、または２つの半円からなりうる。この２つの部品（または２つの半円）は、（蝶番３０８によって）一方の側に留められ、この２つの部品の開閉を可能にしうる。反対側は、誤って開くのを防ぐために、ロッキングピン３１０を備えうる。バンジージャンプの完了時、プラスチック本体部３０４は開かれ、バンジーコード（例えば１１０）上を滑り、ジャンパー（例えば２０２）までコード１１０を降下されうる。
【０１４７】
バンジージャンパーのリカバリーが完了すると、ロッキングピン３１０のロックが外され、「リカバリー端部」３０２がバンジーコードから取り外されうる。プラスチックボディ３０４は、他の構成要素を固定するための枠部を提供してもよく、バンジーコード１１０を損傷から防ぎうる。
【０１４８】
２つの類似した形状である約１６ｍｍの鋼鉄プレート３０６の半円が、プラスチック本体部３０４の下側に取り付けられうる。これらの鋼鉄プレート３０６は、ジャンパーがリカバーされているときに、バンジージャンパーを安全に保持するために、「ジャンパー端部」の磁石に対して十分な大きさの引力を提供しうる。鋼鉄プレート３０６はまた、ウィンチロープ（例えば２１２）が固定されうる主構造を提供しうる。
【０１４９】
「リカバリー端部」３０２の上面は、バンジーコード１１０を損傷から保護し、リカバリーデバイス３０２がバンジーコード１１０を降下する際に摩擦を最小化するのを補助しうる８つのローラーボール３２２を有して提供されうる。
【０１５０】
アイボルト３２４は、バンジージャンパーを元の（ジャンプ）位置まで吊り上げて戻すのに使用されうる、ウィンチロープ（例えば２１２）のための取り付け点を提供しうる。
【０１５１】
異なる例（図３Ａ及び３Ｂには示されていない）において、「リカバリー端部」３０２に関して、ローラーボール（例えば３２２）は、鋼鉄プレート３０６と一体化されうる。例えば、カスタム設計されたローラーボール（例えば３２２）及び、ウィンチロープ（例えば２１２）のための取り付け点（例えば３２４）は、溶接によって鋼鉄プレート３０６に直接接続されうる。代替的な例において、溶接ではなく、取り付け点（例えば３２４）は鋼鉄プレート３０６から一体に形成されうる。カスタム設計されたローラーボール（例えば３２２）は、ローラーボール（例えば３２２）が内部で回転する筐体を含んでもよく、筐体は鋼鉄プレート３０６から一体に形成されてもよい。換言すれば、取り付け点（例えば３２４）及びカスタム設計されたローラーボール（例えば３２２）の筐体は、鋼鉄薄板の単一の部品から形成されうる。
【０１５２】
様々な実施形態に従う、「ジャンパー端部」において、コード（例えば１１０）、例えばバンジーコードを回収するための受容デバイス（例えば１２０）の例を、以下に説明する。
【０１５３】
図４Ａは、例示的な受容デバイス（例えば１２０）の斜視図４００を示しており、図４Ｂは、１つの実施形態に従う、例示的な受容デバイスの分解図４２０を示している。
【０１５４】
受容デバイス４０２は、図１Ｂの受容デバイス１２０のそれと同じまたは類似の要素または構成要素を含み、または伴ってもよく、そのため、類似の要素は図１Ｂの受容デバイス１２０について説明されたのと同様でありえ、従って対応する説明は本明細書では省略される。
【０１５５】
図４Ａ及び４Ｂに示されるように、受容デバイス（または「ジャンパー端部」）４０２は、３つの別個の群または区画、すなわち中央コア（区画）４２２、外側パディング区画４２４及び位置整合円錐（区画）４２６として考えられ、または提供されうる。
【０１５６】
外側パディング区画４２４は、上部スリーブ４２８、発泡体またはクッション体４３０及びスペーサー４３２の上側部と、受容スペーサー４３４及び底部スリーブ４３６の下側部と、を含みうる。発泡体またはクッション体４３０は、標準ポリエチレン発泡体を含んでもよく、ジャンパー（例えば２０２）を中央コア（区画）４２２の側方の衝撃から保護するのに使用されうる。スペーサー４３２及び受容スペーサー４３４はそれぞれ、高密度ポリエチレン発泡体を含んでもよく、これらはジャンパー（例えば２０２）を中央コア（区画）４２２との衝撃から保護するのに使用されうる。上部スリーブ４２８及び底部スリーブ４３６はそれぞれ、ビニルコートされたポリエステルの布からなるものであってもよく、これらは発泡体を損耗や断裂から保護するのに使用されるものでありえ、さらにその中のすべての層（クッション体４３０、スペーサー４３２、中央コア（区画）４２２及び受容スペーサー４３４）を固定しまたはロックするのに使用されうる。より具体的には、上部スリーブ４２８は、中央コア（区画）４２２を取り囲むクッション体４３０の周囲に密着しうる。上部スリーブ４２８はまた、４つの面ファスナータブ４３８を介して底部スリーブに接続され、または取り付けられうる。クッション体４３０は、中央コア（区画）４２２を取り囲むスペーサー４３２の周囲に密着しうる。中央コア（区画）４２２はスペーサー４３２と受容スペーサー４３４との中に、またはその間に密着しうるが、スペーサー４３２及び受容スペーサー４３４とは固定されないようにされうる。受容スペーサー４３４は、２つの面ファスナータブ４４０を介して、底部スリーブの中央の穴の内部または穴を通して、及び底部スリーブ４３６の上部へ向かう側面から延設する４つの面ファスナータブ４４２を介して、底部スリーブ４３６に固定されうる。外側パディング区画４２４は、バンジージャンパー（例えば２０２）をバンジージャンピング中の負傷から保護しうる。上側部及び下側部はそれぞれ、前述のように、第１のパディング部及び第２のパディング部と同様に説明されうる。
【０１５７】
円錐（区画）４２６は、コード１１０を回収するための装置の重要な部分でありうる（装置はバンジージャンプリカバリーユニットとも称されうる）。円錐４２６の第１の目的は、「リカバリー端部」３０２の鋼鉄プレート３０６を、「ジャンパー端部」４０２の磁石５０４（図５Ａ）の上に、容易に直接配向させうる。この円錐（区画）がなければ、リカバリーデバイス３０２と受容デバイス４０２との間の連続的な、または一定の磁気的引力を得ることが困難になりうる。
【０１５８】
中央コア（区画）４２２の一例は、図５Ａから５Ｅに関してさらに説明されうる。図５Ａは、中央コア４２２の拡大斜視図５００を示している。図５Ｂは、中央コア４２２の上面図５２０を示している。図５Ｃは、中央コア４２２の側面図５４０を示している。図５Ｄは、図５Ｃの直線Ｂから見た断面図５６０を示している。図５Ｅは、図５Ｂの直線Ａから見た断面図５８０を示している。
【０１５９】
図５Ａに示されるように、「ジャンパー端部」４０２の中央コア（区画）４２２は、アルミニウムプレート５０２と、４つの磁石またはより具体的にはネオジム磁石５０４と、ゴムスペーサー５０８と、を含み、またはこれらからなりうる。
【０１６０】
アルミニウムプレート５０２は、「ジャンパー端部」４０２の主構造要素でありうる。アルミニウムプレート５０２は、最大２００ｋｇの重量に耐えるだけの十分な強さの構造を有する必要がありうるが、バンジージャンパーの安全に影響を与えないように、十分軽量でありうる。例えば、アルミニウムプレート５０２はマグネシウム導入アルミニウム（Ｆｕｓｐｌａｔｅ  ５０５２）からなりうる。
【０１６１】
４つのネオジム磁石５０４がアルミニウムプレート５０２にボルト止めされてもよく、「ジャンパー端部」４０２と「リカバリー端部」３０２との間に引力（磁気的結合）を提供しうる。「ジャンパー端部」４０２の磁石５０４は、「リカバリー端部」３０２の鋼鉄プレート３０６に引き付けられうる。磁力による一時的な接続は、ウィンチロープ（例えば２１２）がバンジージャンパーを元の（ジャンプ）位置まで吊り上げて戻す際にバンジージャンパーを安全に保持できる程度に十分強いものでありうるが、それでもリカバリー操作が完了すると容易に取り外し可能でありうる。これが可能でありうる理由は、磁石５０４が、力が垂直に加えられる場合には強いが、平行な力（滑動）に耐える場合はその強さの摩擦を有するのみであるためである。リカバリーが終了すると、ロッキングピン３０２が「リカバリー端部」３０２から取り外され、リカバリーデバイス３０２が蝶番ボルト３０８を介して開きうる。一度開かれると、２つの構成要素（リカバリーデバイス３０２の半円）を容易に分離し、次のバンジージャンパーのためにリセットするという十分な機械的利点がありうる。
【０１６２】
各磁石５０４は、約６０ｍｍの直径を有する円形でありうる。磁石５０４のこの構造は、商業ジャンピングで可能とされうる最も重いバンジージャンパーに対する動作負荷制限に基づくものでありうる。別の例において、磁石は異なる形状及び／または異なる寸法からなるものでありうる。カスタム形状および大きさの磁石も使用されうる。
【０１６３】
図５Ｂ及び５Ｄに示されるように、「ジャンパー端部」４０２の中央コア４２２は、磁石５０４に関する４つのゴムスペーサー５０８を含みうる。磁石５０４に関する各ゴムスペーサー５０８は約１５ｍｍの厚さでありうる（図５Ｅ）。磁石のスペーサー５０８は、一定の磁気的引力が達成されうるように、「リカバリー端部」３０２の移動および変形を補償しうる。
【０１６４】
図６Ａは、コード（例えば１１０）に沿って受容デバイス４０２の方に移動するリカバリーデバイス３０２を示す側面図６００の概略図を示している。図６Ｂは、図６Ａの側面断面図６２０を示している。
【０１６５】
図６Ａ及び６Ｂに示されるように、コード１１０は、元の（ジャンプ）場所／位置６０２から、６０４においてバンジージャンパーの方へ延在されうる。
【０１６６】
すべての構成要素、例えば、ウィンチロープ（図６Ａ及び６Ｂには示されていない）への接続のためのアイボルト３２４、ローラーボール３２２及び鋼鉄プレート３０６は、リカバリーデバイス３０２のプラスチック本体部３０４に取り付けられうる。
【０１６７】
ローラーボール３２２はリカバリーデバイス３０２の降下を案内し、バンジーコード１１０の軟質ゴムを保護しうる。
【０１６８】
磁気的引力（磁気的結合）のために使用される鋼鉄プレート３０６は、約１６ｍｍの厚さでありうる。
【０１６９】
６０６において、「リカバリー端部」３０２が「ジャンパー端部」４０２に接続するまで、「リカバリー端部」３０２はバンジーコード１１０を降下されうる。
【０１７０】
円錐４２６は、バンジーコード１１０の周囲にボルト止めされ、「ジャンパー端部」４０２に取り付けられうる。強力な磁石５０４が、「リカバリー端部」３０２の鋼鉄プレート３０６の接続のために使用されうる。
【０１７１】
図６Ｃは、コード１１０に沿って受容デバイス４０２に向けて移動するリカバリーデバイス３０２を示す側面図６４０の概略図であり、受容デバイス４０２とリカバリーデバイス３０２との間に位置不整合がある状態である。
【０１７２】
図６Ｃに示されるように、「リカバリー端部」３０２が「ジャンパー端部」４０２に６４２において接触するまで「リカバリー端部」３０２がバンジーコード１１０を降下すると、「リカバリー端部３０２」は「ジャンパー端部」４０２に対して位置不整合が生じうる。位置不整合が生じると、鋼鉄プレート３０６は磁石５０４に接触するようにならなくなりうる。そのような位置不整合６４４の場合、円錐４２６が「リカバリー端部」３０２を、開口部６４６（例えば、図１Ａのリカバリーデバイス１００の開口部１０４と同様の）を通して「ジャンパー端部」４０２との正しい配向へ向けなおしうる。
【０１７３】
図６Ｄは、コード回収プロセスに関して互いに磁気的に結合されたリカバリーデバイス３０２及び受容デバイス４０２を示す側面図６６０の概略図を示している。
【０１７４】
図６Ｄに示されるように、「リカバリー端部」３０２と「ジャンパー端部」４０２との間の正しい、または適切な位置の整合６６２を得るために円錐４２６を使用すると、円錐４２６は「リカバリー端部」３０２の開口部６４６を通過し、鋼鉄プレート３０６が磁石５０４と接触するようになりうる。磁気的接続の最大強度は、図６Ｄに示されるように「リカバリー端部」３０２と「ジャンパー端部」４０２との間の位置の整合が適切な条件において達成されうる。
【０１７５】
図２Ａから２Ｃ及び図６Ａから６Ｄは、バンジージャンプが完了した後のバンジージャンパーのリカバリーに関してリカバリーデバイス１００、３０２及び受容デバイス１２０、４０２を使用する最も適切な方法を示しうる。
【０１７６】
バンジージャンパーの重量（または２人以上のジャンパー）が１００ｋｇを超過するいずれかの状況において、例示的なリカバリーデバイス３０２及び例示的な受容デバイス４０２における条件および設計要求は、最大安全動作負荷を超過しうることは了解されうるであろう。
【０１７７】
前述の例において使用されうる材料は、磁気的結合の強度、デバイス３０２、４０２の重量及びジャンパー２０２を、コード１１０及びデバイス３０２、４０２の様々な構成要素の耐久性とともに考慮に入れた最も適切なものでありうる。
【０１７８】
本発明は特定の実施形態を参照して具体的に示され、説明されたが、当業者であれば形態及び詳細において様々な変更が、添付された特許請求の範囲によって定義された発明の思想及び範囲から逸脱することなくなされうることは理解すべきである。そのため、本発明の範囲は添付された特許請求の範囲によって示されるものであり、従って特許請求の範囲の等価物の意味及び範囲内に含まれるすべての変更が受け入れられることを意図される。
【符号の説明】
【０１７９】
１００  リカバリーデバイス
１０２  結合構成要素
１０４  開口部
１０６  回収構成部
１１０  コード
１２０  受容デバイス
１２２  中央コア
１２４  パディング構成部
１４０  コードを回収するための装置
２０２  ジャンパー
２０６  プラットフォーム
２０８  コードの反対側端部
２１０  回収ロープの一端部
２１２  回収ロープ、ウィンチロープ
２１４  回収ロープの反対側端部
２１６  ウィンチ
２２２  バンジーオペレーター
３０２  リカバリー端部
３０４  プラスチック本体部
３０６  鋼鉄プレート
３０８  蝶番
３１０  ロッキングピン
３２２  ローラーボール
３２４  アイボルト
４０２  受容デバイス
４２２  中央コア区画
４２４  外側パディング区画
４２６  位置整合円錐区画
４２８  上部スリーブ
４３０  発泡体またはクッション体
４３２  スペーサー
４３４  受容スペーサー
４３６  底部スリーブ
４３８、４４０、４４２  面ファスナータブ
５０２  アルミニウムプレート
５０３  磁石
５０４  ネオジム磁石
５０８  ゴムスペーサー
６４６  開口部
【図１Ａ】
2018140159.tif 000003
【図１Ｂ】
2018140159.tif 000004
【図１Ｃ】
2018140159.tif 000005
【図１Ｄ】
2018140159.tif 000006
【図２Ａ】
2018140159.tif 000007
【図２Ｂ】
2018140159.tif 000008
【図２Ｃ】
2018140159.tif 000009
【図３Ａ】
2018140159.tif 000010
【図３Ｂ】
2018140159.tif 000011
【図４Ａ】
2018140159.tif 000012
【図４Ｂ】
2018140159.tif 000013
【図５Ａ】
2018140159.tif 000014
【図５Ｂ】
2018140159.tif 000015
【図５Ｃ】
2018140159.tif 000016
【図５Ｄ】
2018140159.tif 000017
【図５Ｅ】
2018140159.tif 000018
【図６Ａ】
2018140159.tif 000019
【図６Ｂ】
2018140159.tif 000020
【図６Ｃ】
2018140159.tif 000021
【図６Ｄ】
2018140159.tif 000022
【外国語明細書】
2018140159000001.pdf